(57)【要約】【課題】加入者の利用状況に応じて、早期に他のルータと再接続すること。【解決手段】ＣＰＥ１０は、所定の時間ごとに監視パケットを接続先のルータに送信し、該監視パケットの応答を受信できない場合には、監視パケットを再送する回数である再送回数または監視パケットの再送を行う期間である再送時間に従って、監視パケットを再送する。そして、ＣＰＥ１０は、所定の期間において、ユーザ端末４０がサービスを要求するために接続先のルータに対して送信したデータパケットに対する応答が得られなかった回数を計数する。そして、計数された回数が所定の閾値以上である場合には、再送回数または再送時間が減少するように変更する。【選択図】図１
2017034562.tif 000002
【特許請求の範囲】
【請求項１】
所定の時間ごとに監視パケットを接続先のルータに送信し、該監視パケットの応答を受信できない場合には、前記監視パケットを再送する回数である再送回数または前記監視パケットの再送を行う期間である再送時間に従って、監視パケットを再送する監視部と、
所定の期間において、ユーザ端末がサービスを要求するために前記接続先のルータに対して送信したデータパケットに対する応答が得られなかった回数を計数する計数部と、
前記計数部によって計数された回数が所定の閾値以上である場合には、前記再送回数または前記再送時間が減少するように変更する変更部と、
を有することを特徴とする通信装置。
【請求項２】
前記監視部によって前記再送回数または前記再送時間に従って前記監視パケットが再送され、該監視パケットの応答を受信できなかった場合、または、前記変更部によって再送回数または前記再送時間が減少された結果前記監視パケットの再送を行わなかった場合には、他のルータに対して接続を要求する接続要求パケットを送信する接続要求部をさらに有することを特徴とする請求項１に記載の通信装置。
【請求項３】
前記変更部は、前記計数部によって計数された回数が所定の閾値以上である場合には、前記再送回数または前記再送時間の値を０に変更することを特徴とする請求項１または２に記載の通信装置。
【請求項４】
前記接続要求部は、前記監視パケットの応答を受信できなかった場合には、複数のルータに対してブロードキャストで前記接続要求パケットを送信することを特徴とする請求項２に記載の通信装置。
【請求項５】
通信装置によって実行される再接続方法であって、
所定の時間ごとに監視パケットを接続先のルータに送信し、該監視パケットの応答を受信できない場合には、前記監視パケットを再送する回数である再送回数または前記監視パケットの再送を行う期間である再送時間に従って、監視パケットを再送する監視工程と、
所定の期間において、ユーザ端末がサービスを要求するために前記接続先のルータに対して送信したデータパケットに対する応答が得られなかった回数を計数する計数工程と、
前記計数工程によって計数された回数が所定の閾値以上である場合には、前記再送回数または前記再送時間が減少するように変更する変更工程と、
を含んだことを特徴とする再接続方法。
【発明の詳細な説明】
【技術分野】
【０００１】
本発明は、通信装置および再接続方法に関する。
【背景技術】
【０００２】
従来、キャリア等が提供する広域レイヤ２ネットワーク（Ｌ２ＮＷ）上に配備したルータと家庭などに配備されたＣＰＥ（Customer  Premises  Equipment）の間の接続を行うことで、加入者は様々なサービスを利用することができることが知られている。
【０００３】
ルータとの接続性はＣＰＥからの断監視等により、接続性を保たれている。例えば、ＣＰＥが、所定の時間間隔で監視パケットをルータに送信し、該監視パケットの応答をルータから受信することで、ルータとの接続性を確認している。
【０００４】
また、ＣＰＥが、該監視パケットの応答をルータから受信できなかった場合には、予め設定された回数だけ監視パケットを再送したり、予め設定された時間内に監視パケットを再送し続けたりする。そして、監視パケットを再送した結果、それでも応答を受信できなかった場合には、ルータの故障等により接続性を確認できないものと判断する。この際に、ＣＰＥは、接続していたルータが故障したと判断した場合には、他のルータへ再接続要求を行い、故障したルータとは別の他のルータと接続する。
【先行技術文献】
【特許文献】
【０００５】
【特許文献１】特開２０１１−８２５９３号公報
【発明の概要】
【発明が解決しようとする課題】
【０００６】
しかしながら、従来の技術では、加入者の利用状況に応じて、早期に他のルータと再接続することができないという課題があった。つまり、例えば、加入者がルータの故障により急に繋がらなくなって焦り、特定のＵＲＬをクリックし続ける等の応答がない接続に対して接続しようと繰り返すような場合には、急いで他のルータと再接続をするべきであるが、予め定められた回数または予め設定された時間内の監視パケットの再送処理を待った後、他のルータへ再接続要求を行うので、早期に他のルータと再接続することができなかった。
【課題を解決するための手段】
【０００７】
上述した課題を解決し、目的を達成するために、本発明の通信装置は、所定の時間ごとに監視パケットを接続先のルータに送信し、該監視パケットの応答を受信できない場合には、前記監視パケットを再送する回数である再送回数または前記監視パケットの再送を行う期間である再送時間に従って、監視パケットを再送する監視部と、所定の期間において、ユーザ端末がサービスを要求するために前記接続先のルータに対して送信したデータパケットに対する応答が得られなかった回数を計数する計数部と、前記計数部によって計数された回数が所定の閾値以上である場合には、前記再送回数または前記再送時間が減少するように変更する変更部と、を有することを特徴とする。
【０００８】
また、本発明の再接続方法は、通信装置によって実行される再接続方法であって、所定の時間ごとに監視パケットを接続先のルータに送信し、該監視パケットの応答を受信できない場合には、前記監視パケットを再送する回数である再送回数または前記監視パケットの再送を行う期間である再送時間に従って、監視パケットを再送する監視工程と、所定の期間において、ユーザ端末がサービスを要求するために前記接続先のルータに対して送信したデータパケットに対する応答が得られなかった回数を計数する計数工程と、前記計数工程によって計数された回数が所定の閾値以上である場合には、前記再送回数または前記再送時間が減少するように変更する変更工程と、を含んだことを特徴とする。
【発明の効果】
【０００９】
本発明によれば、加入者の利用状況に応じて、早期に他のルータと再接続することが可能である。
【図面の簡単な説明】
【００１０】
【図１】図１は、第一の実施の形態に係る通信システムの構成の一例を示す図である。
【図２】図２は、第一の実施の形態に係るＣＰＥの構成を示すブロック図である。
【図３】図３は、第一の実施の形態に係る監視情報記憶部が記憶する情報の一例を示す図である。
【図４】図４は、第一の実施の形態に係るＣＰＥによる再接続処理を説明する図である。
【図５】図５は、既存のＣＰＥの再接続処理を説明する図である。
【図６】図６は、第一の実施の形態に係る通信システムにおける再接続処理の概要を説明する図である。
【図７】図７は、第一の実施の形態に係るＣＰＥの処理の流れを示すフローチャートである。
【図８】図８は、再接続プログラムを実行するコンピュータを示す図である。
【発明を実施するための形態】
【００１１】
以下に、本願に係る通信装置および再接続方法の実施形態を図面に基づいて詳細に説明する。なお、この実施形態により本願に係る通信装置および再接続方法が限定されるものではない。
【００１２】
［第一の実施の形態］
以下の実施の形態では、第一の実施の形態に係る通信システムの構成、ＣＰＥの構成、ＣＰＥの処理の流れを順に説明し、最後に第一の実施の形態による効果を説明する。
【００１３】
［通信システムの構成］
図１は、第一の実施の形態に係る通信システムの構成の一例を示す図である。第一の実施の形態に係る通信システム１は、ＣＰＥ１０、複数のルータ２０Ａ〜２０Ｃ、コンフィグサーバ３０、複数のユーザ端末４０およびサービス提供サーバ５０を有する。
【００１４】
また、複数のルータ２０Ａ〜２０ＣとＣＰＥ１０とは、レイヤ２ネットワーク６０を介して接続され、複数のルータ２０Ａ〜２０Ｃと、コンフィグサーバ３０と、サービス提供サーバ５０とは、レイヤ３ネットワーク７０を介して接続される。なお、図１に示す各装置や機能の数は、あくまで一例であり、これに限られるものではない。また、複数のルータ２０Ａ〜２０Ｃについて、特に区別なく説明する場合には、適宜ルータ２０と記載する。
【００１５】
また、第一の実施の形態に係る通信システム１において、同一ネットワーク上に配備した複数のルータ２０Ａ〜２０Ｃが接続要求パケットをＣＰＥ１０から受け取った際に、コンフィグサーバ３０に認証要求パケットを送出した後、認証処理および加入者設定を行うことで、ユーザ端末４０はサービス提供サーバ５０との通信が可能となり、サービスの提供を受けることができる。
【００１６】
コンフィグサーバ３０は、複数のルータ２０Ａ〜２０Ｃから認証を要求する認証要求パケットを受信し、加入者情報を元に設定を払い出してよいか認証を行い、認証がＯＫである場合には、ルータに対して加入者設定に関する応答を行う。
【００１７】
ＣＰＥ１０は、例えば、固定回線を用いた通信サービスを利用するための通信装置として通信サービスの利用者の宅内に配置され、サービスを提供するサービス提供サーバ５０やルータ２０との間でＰＰＰ等のＰ２Ｐ通信やトンネル接続、ＤＨＣＰによって払いだされたアドレスなど接続性を確保するための情報を元にパケット通信を実現する。
【００１８】
また、ＣＰＥ１０は、ルータ２０と接続した後は、監視パケットを所定時間間隔で接続先のルータ２０に送信し、該ルータ２０から応答を受信する。ここで、ＣＰＥ１０は、監視パケットの応答を受信できなかった場合には、所定の時間間隔で所定回数だけ監視パケットを再送する。
【００１９】
ルータ２０は、ＣＰＥ１０から接続要求パケットを受信すると、該認証要求パケットをコンフィグサーバ３０へ送信する。そして、ルータ２０は、コンフィグサーバ３０から認証ＯＫの応答を受信した場合には、ＣＰＥ１０と接続する。接続後は、ルータ２０は、ＣＰＥ１０から定期的に監視パケットを受信し、該監視パケットに対する応答を行う。
【００２０】
コンフィグサーバ３０は、ルータ２０から該認証要求パケットを受信し、認証ＯＫである場合には、加入者情報毎の設定をルータ２０に反映させる。サービス提供サーバ５０は、認証処理および加入者設定が行われたユーザ端末４０に対してサービスを提供するサーバである。
【００２１】
［ＣＰＥの構成］
次に、図２を用いて、図１に示したＣＰＥ１０の構成を説明する。図２は、第一の実施の形態に係るＣＰＥの構成を示すブロック図である。図２に示すように、このＣＰＥ１０は、通信処理部１１、制御部１２および記憶部１３を有する。以下にこれらの各部の処理を説明する。
【００２２】
通信処理部１１は、ルータ２０との間でやり取りする各種情報に関する通信を制御する。例えば、通信処理部１１は、接続先のルータ２０に対して監視パケットを送信し、該ルータ２０から監視パケットの応答を受信する。
【００２３】
記憶部１３は、制御部１２による各種処理に必要なデータおよびプログラムを格納するが、特に本発明に密接に関連するものとしては、監視情報記憶部１３ａを有する。例えば、記憶部１３は、ＲＡＭ（Random  Access  Memory）、フラッシュメモリ（Flash  Memory）等の半導体メモリ素子、又は、ハードディスク、光ディスク等の記憶装置などである。
【００２４】
監視情報記憶部１３ａは、監視パケットの送信に関する情報を記憶する。例えば、監視情報記憶部１３ａは、図３に例示するように、監視パケットを送信する間隔である「監視間隔」と、監視パケットの応答が無かった場合に他のルータと再接続を要求するまでに監視パケットを再送する回数である「再送回数」と、監視パケットの再送を行う間隔である「再送間隔」とを記憶する。図３の例では、監視間隔として「６０秒」、再送回数として「１０回」、再送間隔として「１０秒」が記憶されている。なお、監視情報記憶部１３ａは、「再送回数」に代えて、監視パケットの再送を行う期間を示す「再送時間」を記憶してもよい。
【００２５】
制御部１２は、各種の処理手順などを規定したプログラムおよび所要データを格納するための内部メモリを有し、これらによって種々の処理を実行するが、特に本発明に密接に関連するものとしては、監視部１２ａ、計数部１２ｂ、変更部１２ｃおよび接続要求部１２ｄを有する。
【００２６】
監視部１２ａは、所定の時間ごとに監視パケットを接続先のルータ２０に送信し、該監視パケットの応答を受信できない場合には、監視パケットを再送する回数である再送回数に従って、監視パケットを再送する。例えば、図３の例を用いて説明すると、監視部１２ａは、監視間隔が６０秒、再送回数が１０回、再送間隔が１０秒であるため、６０秒ごとに監視パケットを接続先のルータ２０に送信し、監視パケットの応答を受信できない場合には、再送間隔「１０秒」ごとに「１０回」監視パケットを再送し続ける。なお、例えば、再送回数に代えて、再送時間として「１００秒」を記憶している場合には、監視パケットの応答を受信できない際に、再送時間「１００秒」の間に、再送間隔「１０秒」ごとに監視パケットを再送し続けるものとする。
【００２７】
計数部１２ｂは、所定の期間において、ユーザ端末４０がサービスを要求するために接続先のルータ２０に対して送信したデータパケットに対する応答が得られなかった回数を計数する。例えば、計数部１２ｂは、６０秒間の間にデータパケットに対する応答が得られなかった回数を計数する処理を繰り返す。
【００２８】
変更部１２ｃは、計数部１２ｂによって計数された回数が所定の閾値以上である場合には、再送回数が減少するように変更する。具体的には、変更部１２ｃは、計数部１２ｂによって計数された回数が所定の閾値以上である場合には、監視情報記憶部１３ａに記憶されている「再送回数」の値を「０」に変更する。なお、再送回数に代えて、再送時間を記憶している場合には、再送時間を減少するように変更する。
【００２９】
接続要求部１２ｄは、監視部１２ａによって再送回数に従って監視パケットが再送され、該監視パケットの応答を受信できなかった場合、または、変更部１２ｃによって再送回数が減少された結果、監視パケットの再送を行わなかった場合には、他のルータ２０に対して接続を要求する接続要求パケットを送信する。具体的には、接続要求部１２ｄは、監視パケットの応答を受信できなかった場合には、複数のルータ２０に対してブロードキャストで接続要求パケットを送信する。
【００３０】
つまり、短時間（例えば、６０秒）の間に、データパケットに対する応答が得られなかった回数が所定の閾値（例えば、１０回）以上である場合は、ユーザが特定のＵＲＬをクリックし続けたり、電話発信をしようと試み続けたりしていると考えられ、このような場合には、緊急に復旧した方がよいものとして、監視情報記憶部１３ａに記憶されている「再送回数」の値を「０」に変更し、早期に再接続要求パケットの送信を実現する。
【００３１】
ここで、図４および図５を用いて、第一の実施の形態に係るＣＰＥ１０による再接続処理と既存の再接続処理を説明する。図４は、第一の実施の形態に係るＣＰＥによる再接続処理を説明する図である。図５は、既存のＣＰＥの再接続処理を説明する図である。なお、図４および図５の例では、ＣＰＥ１０の接続先がルータ＃１であり、再接続先がルータ＃２であるものとして説明する。また、監視情報記憶部１３ａには、監視間隔として「６０秒」、再送回数として「１０回」、再送間隔として「１０秒」が記憶されているものとする。
【００３２】
図４に例示するように、ＣＰＥ１０は、所定の期間において、ユーザ端末４０がサービスを要求するために接続先のルータ２０に対して送信したデータパケットに対する応答が得られなかった回数を計数した結果、短時間に１０回応答がないことが計数された。つまり、短時間（例えば、６０秒）の間に、データパケットに対する応答が得られなかった回数が所定の閾値（例えば、１０回）以上である場合は、ＣＰＥ１０は、監視情報記憶部１３ａに記憶されている「再送回数」の値を「１０」から「０」に変更する。
【００３３】
このため、監視パケットの再送は行わずに、すぐに再接続要求をルータ＃１とルータ＃２に対してブロードキャストで送信して、サービスの提供を復旧させることができる。このため、監視パケットの応答が得られなくなってから、約１０秒でサービスを復旧することができる。なお、他のルータ２０と再接続を行った後は、監視情報記憶部１３ａに記憶されている「再送回数」の値を「１０」に戻すものとする。
【００３４】
これに対して、既存の方式では、図５に示すように、監視パケットの応答が得られなくなってから、再送間隔「１０秒」ごとに「１０回」監視パケットを再送し続ける。このため、再接続要求をルータに対して送信し復旧するまでに約１００秒かかることとなる。また、第一の実施の形態に係るＣＰＥ１０は、短時間の間に、データパケットに対する応答が得られなかった回数が所定の閾値未満の場合には、既存の方式と同様に、再送回数に従って、監視パケットを再送する。つまり、加入者が特に焦らずに復旧を待っていたりするような状況では、緊急性が低いことから、既存の方式と同様に、監視パケットの再送を行った後に、他のルータ２０との再接続処理を行うようにする。
【００３５】
ここで、図６を用いて、第一の実施の形態に係る通信システム１における再接続処理の概要を説明する。図６は、第一の実施の形態に係る通信システムにおける再接続処理の概要を説明する図である。図６の例では、ＣＰＥ１０の接続先のルータ２０Ｃが故障したものとして説明する。図６に示すように、ＣＰＥ１０は、再接続要求パケットをルータ２０Ａ〜２０Ｃに対してブロードキャストで送信する。
【００３６】
ルータ２０Ａ〜２０Ｃは、ＣＰＥ１０から接続要求パケットを受信すると、該認証要求パケットをコンフィグサーバ３０へ送信する。コンフィグサーバ３０は、ルータ２０から該認証要求パケットを受信し、認証ＯＫであるルータ２０Ａを接続先のルータとして設定する。そして、ルータ２０Ａは、コンフィグサーバ３０から認証ＯＫの応答を受信した場合には、ＣＰＥ１０と接続する。接続後は、ルータ２０Ａは、ＣＰＥ１０から定期的に監視パケットを受信し、該監視パケットに対する応答を行う。また、ＣＰＥ１０は、ルータ２０Ａを接続先ルータとして、サービスＡの提供を受ける。
【００３７】
［ＣＰＥの処理の流れ］
次に、図７を用いて、第一の実施の形態に係るＣＰＥ１０の処理の流れを説明する。図７は、第一の実施の形態に係るＣＰＥの処理の流れを示すフローチャートである。
【００３８】
図７に示すように、ＣＰＥ１０は、所定の期間において、応答のない接続を複数回カウントしたか否かを判定する（ステップＳ１０１）。具体的には、ＣＰＥ１０は、所定の期間において、ユーザ端末４０がサービスを要求するために接続先のルータ２０に対して送信したデータパケットに対する応答が得られなかった回数が所定の閾値以上であるか否かを判定する。
【００３９】
この結果、ＣＰＥ１０は、所定の期間において、応答のない接続を複数回カウントした場合には（ステップＳ１０１肯定）、再送回数が減少するように変更する（ステップＳ１０２）。例えば、ＣＰＥ１０は、データパケットに対する応答が得られなかった回数が所定の閾値以上である場合には、監視情報記憶部１３ａに記憶されている「再送回数」の値を「０」に変更する。また、ＣＰＥ１０は、所定の期間において、応答のない接続を複数回カウントしなかった場合には（ステップＳ１０１否定）、そのままステップＳ１０３の処理に進む。
【００４０】
そして、ＣＰＥ１０は、接続先のルータ２０に対して送信した監視パケットに対する応答があるか否かを判定する（ステップＳ１０３）。この結果、ＣＰＥ１０は、接続先のルータ２０に対して送信した監視パケットに対する応答があると判定した場合には（ステップＳ１０３肯定）、そのまま処理を終了する。
【００４１】
また、ＣＰＥ１０は、接続先のルータ２０に対して送信した監視パケットに対する応答がないと判定した場合には（ステップＳ１０３否定）、監視パケットの再送回数＞設定された再送回数（再送値）を満たすか否かを判定する（ステップＳ１０４）。この結果、ＣＰＥ１０は、監視パケットの再送回数＞設定された再送回数（再送値）を満たさない場合には（ステップＳ１０４否定）、監視パケットを再送し（ステップＳ１０５）、再送回数に１を加算して（ステップＳ１０６）、ステップＳ１０４の処理に戻る。
【００４２】
また、ＣＰＥ１０は、監視パケットの再送回数＞設定された再送回数（再送値）を満たす場合には（ステップＳ１０４肯定）、再接続要求をルータ２０に対して送信して（ステップＳ１０７）、処理を終了する。
【００４３】
［第一の実施形態の効果］
このように、第一の実施形態に係るＣＰＥ１０は、所定の時間ごとに監視パケットを接続先のルータ２０に送信し、該監視パケットの応答を受信できない場合には、監視パケットを再送する回数である再送回数または監視パケットの再送を行う期間である再送時間に従って、監視パケットを再送する。そして、ＣＰＥ１０は、所定の期間において、ユーザ端末４０がサービスを要求するために接続先のルータ２０に対して送信したデータパケットに対する応答が得られなかった回数を計数する。そして、計数された回数が所定の閾値以上である場合には、再送回数または再送時間が減少するように変更する。このため、加入者の利用状況に応じて、早期に他のルータ２０と再接続することが可能となる。
【００４４】
つまり、ＣＰＥ１０は、カウントした情報を元に、監視パケットの再送回数や再送時間を動的に変更することで、早期に再接続要求パケットの送出を実現することができる。これにより、例えば、サービスによって個々に設定された監視パケットの再送間隔や再送回数を加入者の利用状況に合わせて変更することで、早期に加入者の復旧を図ることができる。また、断監視のパケットを短くすることで早期復旧は可能であるが、監視対象への負荷増加を招くので、動的に変えることで早期に復旧する加入者とそうではない加入者を分別し処理が可能となる。
【００４５】
［システム構成等］
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００４６】
また、本実施形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００４７】
［プログラム］
図８は、再接続プログラムを実行するコンピュータを示す図である。コンピュータ１０００は、例えば、メモリ１０１０、ＣＰＵ（Central  Processing  Unit）１０２０を有する。また、コンピュータ１０００は、ハードディスクドライブインタフェース１０３０、ディスクドライブインタフェース１０４０、シリアルポートインタフェース１０５０、ビデオアダプタ１０６０、ネットワークインタフェース１０７０を有する。これらの各部は、バス１０８０によって接続される。
【００４８】
メモリ１０１０は、ＲＯＭ（Read  Only  Memory）１０１１及びＲＡＭ（Random  Access  Memory）１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０３１に接続される。ディスクドライブインタフェース１０４０は、ディスクドライブ１０４１に接続される。例えば磁気ディスクや光ディスク等の着脱可能な記憶媒体が、ディスクドライブ１０４１に挿入される。シリアルポートインタフェース１０５０は、例えばマウス１０５１、キーボード１０５２に接続される。ビデオアダプタ１０６０は、例えばディスプレイ１０６１に接続される。
【００４９】
ハードディスクドライブ１０３１は、例えば、ＯＳ１０９１、アプリケーションプログラム１０９２、プログラムモジュール１０９３、プログラムデータ１０９４を記憶する。すなわち、ＣＰＥ１０の各処理を規定するプログラムは、コンピュータにより実行可能なコードが記述されたプログラムモジュール１０９３として実装される。プログラムモジュール１０９３は、例えばハードディスクドライブ１０３１に記憶される。例えば、ＣＰＥ１０における機能構成と同様の処理を実行するためのプログラムモジュール１０９３が、ハードディスクドライブ１０３１に記憶される。なお、ハードディスクドライブ１０３１は、ＳＳＤ（Solid  State  Drive）により代替されてもよい。
【００５０】
また、上述した実施形態の処理で用いられる設定データは、プログラムデータ１０９４として、例えばメモリ１０１０やハードディスクドライブ１０３１に記憶される。そして、ＣＰＵ１０２０が、メモリ１０１０やハードディスクドライブ１０３１に記憶されたプログラムモジュール１０９３やプログラムデータ１０９４を必要に応じてＲＡＭ１０１２に読み出して実行する。
【００５１】
なお、プログラムモジュール１０９３やプログラムデータ１０９４は、ハードディスクドライブ１０３１に記憶される場合に限らず、例えば着脱可能な記憶媒体に記憶され、ディスクドライブ１０４１等を介してＣＰＵ１０２０によって読み出されてもよい。あるいは、プログラムモジュール１０９３及びプログラムデータ１０９４は、ネットワーク（ＬＡＮ（Local  Area  Network）、ＷＡＮ（Wide  Area  Network）等）を介して接続された他のコンピュータに記憶されてもよい。そして、プログラムモジュール１０９３及びプログラムデータ１０９４は、他のコンピュータから、ネットワークインタフェース１０７０を介してＣＰＵ１０２０によって読み出されてもよい。
【符号の説明】
【００５２】
１  通信システム
１０  ＣＰＥ
１１  通信処理部
１２  制御部
１２ａ  監視部
１２ｂ  計数部
１２ｃ  変更部
１２ｄ  接続要求部
１３  記憶部
１３ａ  監視情報記憶部
２０、２０Ａ〜２０Ｃ  ルータ
３０  コンフィグサーバ
４０  ユーザ端末
５０  サービス提供サーバ
【図１】
2017034562.tif 000003
【図２】
2017034562.tif 000004
【図３】
2017034562.tif 000005
【図４】
2017034562.tif 000006
【図５】
2017034562.tif 000007
【図６】
2017034562.tif 000008
【図７】
2017034562.tif 000009
【図８】
2017034562.tif 000010